(57)【特許請求の範囲】
【請求項１】
パッケージ本体と、該パッケージ本体に一部が被覆されたリード端子と、を備え、
前記リード端子は、前記パッケージ本体の露出部を挟んで配置された、半導体素子載置領域を有する第１リードと、半導体素子からの導電性ワイヤが接続されるワイヤ接続領域を有する第２リードとを有し、
前記第１リードは、前記第２リード側に、曲線を有するコーナー部を有し、該コーナー部の内側に、ダイボンド剤によって前記半導体素子がダイボンドされており、前記コーナー部を構成する辺と前記半導体素子の間にそれぞれ第１溝部と第２溝部を有し、
前記第１溝部と前記第２溝部は前記コーナー部において離間していることを特徴とする半導体装置。
【請求項２】
前記コーナー部は、前記第１溝部と前記第２溝部との間において前記半導体素子と対向する部分が曲線である請求項１記載の半導体装置。
【請求項３】
前記コーナー部を構成する辺と辺は、前記半導体素子載置領域に中心を有する円弧で接続されている請求項１又は２に記載の半導体装置。
【請求項４】
前記第２リードは、第１ワイヤ接続領域と、第２ワイヤ接続領域とを有し、
前記半導体素子載置領域と前記第１ワイヤ接続領域との間に前記第１溝部が形成され、前記半導体素子載置領域と前記第２ワイヤ接続領域との間に前記第２溝部が形成された請求項１〜３のいずれか１項に記載の半導体装置。
【請求項５】
前記第１リードは、前記半導体素子からの導電性ワイヤが接続される第３ワイヤ接続領域と、該第３ワイヤ接続領域と前記半導体素子載置領域とを区分する第３溝部と、を有する請求項１〜４のいずれか１項に記載の半導体装置。
【請求項６】
前記第３溝部は、前記半導体素子載置領域から突出し、前記第２リードと対向する位置まで延伸している請求５項に記載の半導体装置。
【請求項７】
前記第１溝部と前記第２溝部は、略直線状である請求項１〜６のいずれか１項に記載の半導体装置。
【請求項８】
前記第１溝部と前記第２溝部は、その周囲に前記第１リードの基準平面よりも高い領域を有する請求項１〜７のいずれか１項に記載の半導体装置。
【発明の詳細な説明】
【技術分野】
【０００１】
本発明は、半導体素子が搭載された半導体装置に関し、特に、液晶ディスプレイのバックライト、パネルメーター、表示灯や携帯用電子機器などに用いられる発光装置に関する。
【背景技術】
【０００２】
近年、発光素子を搭載した半導体装置は、一つのパッケージに複数の発光素子を搭載させたり、異なる発光色の発光素子を搭載させたり、発光素子とは機能が異なる別の半導体素子と一緒に搭載させたりすることにより、多様な用途に利用できる製品が開発されてきている。例えば、発光素子の信頼性確保のため、発光素子の過電圧による破壊から守るための保護素子を発光素子と共に搭載した半導体装置が提供されている。
【０００３】
このような半導体装置の一例について、以下、より具体的に説明する。半導体装置は、半導体素子を収納するための凹部が設けられた支持体と、その凹部の底面に露出されたリード端子と、そのリード端子上に配置された発光素子と、凹部内のリード端子と接続された保護素子と、それらの半導体素子の電極と支持体のリード端子とを接続する導電性ワイヤと、各素子および導電性ワイヤを凹部内にて被覆する封止部材と、を備える。搭載部に接着される発光素子や保護素子は、エポキシ樹脂のような絶縁性接着剤や銀ペーストのような導電性接着剤などのダイボンド剤にてリード端子の搭載部にダイボンドされる。
【０００４】
このような半導体装置において、リード端子上に塗布されたダイボンド剤の一部が、導電性ワイヤの接続部までリード端子上を流動すると、導電性ワイヤの接続部がダイボンド剤により被覆されてしまい、接続部へ導電性ワイヤの接続強度が低下する懸念がある。また、発光素子をリード端子に接着する絶縁性接着剤と、保護素子を接着する導電性接着剤が相互に干渉することで、それぞれの機能が損なわれることがある。
【０００５】
そこで、例えば、半導体素子の搭載部と導電性ワイヤの接続部との間のリード端子主面に溝部を設けて、同一リード端子上のダイボンド剤の流動を抑制する半導体装置が提案されている（例えば、特許文献１〜４参照）。また、特許文献４には、一方のリード端子から他方のリード端子へのダイボンド剤の流動を抑制するために、更に、正負一対のリード端子間から絶縁性の支持部の一部が露出されてなる絶縁分離部に凸部を設ける構造、または、リード端子主面の絶縁分離部に沿った位置に溝部を設ける構造も提案されている。
【先行技術文献】
【特許文献】
【０００６】
【特許文献１】特開２００８−９８２１８号公報
【特許文献２】特開２００８−９１８６４号公報
【特許文献３】特開２００８−１１２９６６号公報
【特許文献４】特開２００９−１６６３６号公報
【発明の概要】
【発明が解決しようとする課題】
【０００７】
近年、半導体装置の小型化の要求が高まっており、半導体素子の搭載部と導電性ワイヤの接続部とが接近する傾向にある。このため、同一リード端子上のダイボンド剤の流動のみでなく、搭載部と異なるリード端子に配置された接続部へのダイボンド剤の流動も抑制することが求められる。しかしながら、従来の半導体装置の絶縁分離部に凸部を設ける構造は、凸部の大きさや形状の制御が困難であり、また、従来のリード端子主面に絶縁分離部に沿った溝部を設ける構造は、絶縁分離部に沿った溝部を他の溝部と交差させ、半導体素子の搭載部を完全に包囲するため、ダイボンド剤が溝部を越えた場合の流動箇所が特定できず、十分ではなかった。
【課題を解決するための手段】
【０００８】
上記課題を解決するために、半導体装置は、パッケージ本体と、該パッケージ本体に一部が被覆されたリード端子と、を備え、前記リード端子は、前記パッケージ本体の露出部を挟んで配置された、半導体素子載置領域を有する第１リードと、半導体素子からの導電性ワイヤが接続されるワイヤ接続領域を有する第２リードとを有し、前記第１リードは、前記第２リード側に、曲線を有するコーナー部を有し、該コーナー部の内側に、ダイボンド剤によって前記半導体素子がダイボンドされており、前記コーナー部を構成する辺と前記半導体素子の間にそれぞれ第１溝部と第２溝部を有し、前記第１溝部と前記第２溝部は前記コーナー部において離間していることを特徴とする。
【０００９】
上記の発光装置には以下の構成を組み合わせることができる。
前記コーナー部は、前記第１溝部と前記第２溝部との間において前記半導体素子と対向する部分が曲線である。
前記コーナー部を構成する辺と辺は、前記半導体素子載置領域に中心を有する円弧で接続されている。
前記第２リードは、第１ワイヤ接続領域と、第２ワイヤ接続領域とを有し、前記半導体素子載置領域と前記第１ワイヤ接続領域との間に前記第１溝部が形成され、前記半導体素子載置領域と前記第２ワイヤ接続領域との間に前記第２溝部が形成された。
前記第１リードは、前記半導体素子からの導電性ワイヤが接続される第３ワイヤ接続領域と、該第３ワイヤ接続領域と前記半導体素子載置領域とを区分する第３溝部と、を有する。
前記第３溝部は、前記半導体素子載置領域から突出し、前記第２リードと対向する位置まで延伸している。
前記第１溝部と前記第２溝部は、略直線状である。
前記第１溝部と前記第２溝部は、その周囲に前記第１リードの基準平面よりも高い領域を有する。
【発明の効果】
【００１０】
本発明によれば、第１及び第２溝部とリード端子のコーナー部によってダイボンド剤の流動が制御でき、半導体素子の接着不良や導電性ワイヤの接続不良を生じさせることがない信頼性の高い半導体装置とすることができる。
【図面の簡単な説明】
【００１１】
【図１】図１は本発明の実施の形態１の半導体装置を示す模式的な正面図である。
【図２】図２は本発明の実施の形態１の半導体装置を示す模式的な断面図である。
【図３】図３は溝部の形状を説明するための模式的な断面図である。
【図４】図４は本発明の実施の形態２の半導体装置を示す模式的な正面図である。
【発明を実施するための形態】
【００１２】
本発明を実施するための最良の形態を、以下に図面を参照しながら説明する。ただし、以下に示す形態は、本発明の技術思想を具体化するための半導体装置およびその形成方法を例示するものであって、本発明は、半導体装置およびその形成方法を以下に限定するものではない。
【００１３】
また、本明細書は特許請求の範囲に示される部材を、実施の形態の部材に特定するものでは決してない。実施の形態に記載されている構成部品の寸法、材質、形状、その相対的配置等は、特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細な説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１４】
［実施の形態１］
図１に、本発明の実施の形態１に係る半導体装置の正面模式図を示す。また、図２は、図１のＡＡ方向における半導体装置の断面模式図である。半導体装置は、凹部を有するパッケージ本体１と、パッケージ本体１の凹部内に実装された半導体素子２ａ、２ｂと、パッケージ本体１に一部が被覆され、一部が露出して半導体素子載置領域とワイヤ接続領域を成す第１リード３、第２リード４と、を有し、第１リード３と第２リード４との間には、パッケージ本体１が露出した露出部５を有する。半導体素子２ａ、２ｂは、第１リード３の半導体素子載置領域にダイボンド剤を介してダイボンドされており、導電性ワイヤ６によって、第１リード３及び第２リード４とそれぞれ電気的に接続されている。半導体素子載置領域及び導電性ワイヤ接続領域は、パッケージ本体の凹部底面にて露出されたリード端子の主面上に設けられている。また、第１リード３は、更に、半導体素子載置領域とワイヤ接続領域とを区分する第３溝部９を有する。なお、本実施の形態において、半導体素子２ａは発光素子であり、半導体素子２ｂは保護素子である。
【００１５】
第１リード３は、第２リード４側に、曲線を有するコーナー部３ａを有し、コーナー部３ａの内側に、半導体素子２ａ、２ｂがダイボンド剤によってダイボンドされている。第１リード３の主面上には、第１溝部７と第２溝部８が設けられている。第１溝部７と第２溝部８は、コーナー部３ａを構成する各辺と半導体素子２ａ、２bの間にそれぞれ設けられており、コーナー部３ａにおいて離間している。
【００１６】
このように、第１溝部７と第２溝部８が離間した位置にコーナー部３ａの曲線部分が配置されていることで、第１溝部７と第２溝部８の間から流出するダイボンド剤をコーナー部３ａに沿って流動させ、第２リード４への流出を抑制できる。これは、コーナー部３ａがパッケージ本体の露出部５と接しており、半導体素子載置領域から第１リード３上を流動してコーナー部３ａに到達するダイボンド剤は、露出部５に流出するよりもリード端に沿って流動する傾向にあるためである。更に、コーナー部３ａは角を丸めた形状であるため、第１溝部７と第２溝部８の間から流出するダイボンド剤が角に滞留することなく、スムーズにリード端に沿って流動できる。ダイボンド剤が角に滞留すると、角に集中したダイボンド剤がリード端から露出部５へ流出し、ワイヤ接続領域を有する第２リード４まで到達してしまう場合があるため、このような角ではなく曲線を有するコーナー部３ａとすることで、ダイボンド剤の露出部５への流出を抑制でき、第２リード４への流出を抑制できる。また、第１溝部７と第２溝部８が連結されていると、ダイボンド剤が溝部を越えて流出してしまう場合に、流出する位置が特定できなくなるため、第１溝部７と第２溝部８は、コーナー部３ａにおいて離間して配置する。これによって、ダイボンド剤を、第１溝部７と第２溝部８の間のコーナー部３ａへ流動するよう促すことができる。
【００１７】
（溝部）
リード端子に設けられる溝部は、半導体素子をリード端子上に接続させているダイボンド剤の流動を抑制するものであり、これにより近接する導電性ワイヤの接続領域や半導体素子の接続に影響を与えることを防止するものである。溝部７、８、９が設けられる位置としては、図１に示すように半導体素子２ａ、２ｂの載置領域と半導体素子２ａ、２ｂからの導電性ワイヤ６の接続領域との間や、半導体素子間に設けることができる。このような位置に溝部を設けることで、ダイボンド剤の流動を阻止することができ、また、溝部を形成することによって、ダイボンド剤の流動を所定の方向（溝部の方向）に促して、コーナー部３ａに導くことができる。第１溝部と第２溝部は、コーナー部を構成する辺に沿って設けることが好ましく、辺との距離を、０．０１〜０．１ｍｍ程度とすることが好ましい。第１溝部と第２溝部の離間距離は、少なくともリード端に到達しない程度が好ましく、例えば０．１〜０．３ｍｍ程度とすることができる。
【００１８】
溝部は、それらの領域から延在するように設けられていてもよい。例えば、図１に示すように、半導体素子２ａ、２ｂの載置領域と導電性ワイヤ６の接続領域との間に設けられた第３溝部９を、半導体素子載置領域から突出するように延在させてもよい。これによって、第３溝部９の終端部と半導体素子２ａ、２ｂとの距離が大きくなるので、ダイボンド剤が第３溝部９を迂回して第１リード３のワイヤ接続領域（第３ワイヤ接続領域）へ到達するまでの経路を長くでき、第３ワイヤ接続領域への流出を抑制できる。図１に示すように、第１リード３を第２リード４側に突出させ、この突出部分を半導体素子載置領域とする半導体装置であれば、半導体素子載置領域を縮小せずに第３溝部９を延在させることができる。このとき、第３溝部９は、第２リード４と対向する位置まで延在させること、つまりパッケージ本体の露出部５に沿って形成することが好ましい。また、各溝部は、互いに離間していることが好ましい。図１に示すように、第３溝部９を第１溝部７と離間させることで、ダイボンド剤を第３溝部９と第１溝部７との間へ流動するよう促すことができ、第３溝部９を迂回させ、ワイヤ接続領域へ到達するまでの経路を長くできる。
【００１９】
また、溝部は、リード端子の端に達しないように設ける。溝部がリード端子の端にまで達していると、パッケージ本体を射出成形にて成形する際に、溝部にパッケージ樹脂が入りこみ、パッケージ本体とリード端子との密着性の低下や溝部の埋没化を引き起こすことがあるためである。
【００２０】
溝部は、板状金属からリード端子を所定の形状に加工する際に形成することができる。すなわち、所定の外形形状となるよう打ち抜き加工を施した後に、例えばマイナスのドライバーの先端部のような形状の加工器具を用い、板状金属の表面から押圧することで、直線状の溝部を形成することができる。このようにすることで、リード端子を貫通しない溝部を形成することができる。また、加工器具の先端形状を変更することで、溝部の形状（平面視形状や深さ方向の形状）や深さなどを変更することができる。図２では、断面がＶ字状（三角形）になるように形成しているがこれに限るものではなく、四角形、長方形、台形などの多角形や、側面や溝部底面が曲面となるような形状とすることもできる。また、溝部の形成は上記の押圧による方法のほか、レーザ光照射、エッチング、切削によっても形成することができる。
【００２１】
また、上記のように押圧によって溝部を形成することで、溝部の周囲にリード端子の基準平面よりも高い領域を形成することができる。これは板状金属を押圧することで押圧部の周囲が盛り上がるようになるためであり、リード端子の基準平面よりも高い領域を形成することができる。
【００２２】
溝部の断面形状の例を、図３に示す。例えば、押圧部の近傍に板状金属が盛り上がらないような固定具を用いると、図３（ａ）のように溝部２１の周囲に、基準平面（B−B線）よりも高い領域２２ａとして突起部を設けることができる。また、このような固定具を用いず、押圧のみで溝部２１を形成する場合は、図３（ｂ）のように、基準平面よりも高い領域２２ｂを、徐々に盛り上がった状態のものとして形成することができる。このように溝部だけでなくさらに基準平面よりも高い領域を形成させることで、ダイボンド剤の流動をより効率良く阻止すると共に、溝部間の離間領域へダイボンド剤が流動するよう促すことができる。
【００２３】
また、溝部を複数個設ける場合、向きの異なる溝部を交差させると、上述した盛り上がり状態が過度になり、これによって、パッケージの形成の際に、金型との間に隙間が形成され、パッケージ樹脂がその隙間に流れ込むことがあるため、この点からも溝部は離間させることが好ましい。
【００２４】
溝部の平面視形状としては、図１に示すような直線状のものや、あるいは曲線状のものなどを用いることができる。好ましくは略直線状である。溝部は、パッケージ本体の露出部にそって形成することが好ましい。
【００２５】
なお、溝部を構成する溝は、図１に示す半導体装置は各溝部について一列ずつであるが、延伸方向が略同じ溝が各溝部に複数ずつ含まれていても構わない。各溝部に複数の溝が含まれることにより、接着剤の流動を抑制する効果を高めることができる。一方、各溝部を一列のみとすることで、第１リードの辺と半導体素子との間の距離を小さくでき、また、製造工程を簡便にできる。
【００２６】
（リード端子）
リード端子の形状は、特に限定されるものではない。半導体発光素子と電気的に接続可能で、かつ、一部が基体に内包されるとともに基体の外部から突出するように延設され、この延設部によって外部と電気的な接続がとれるような機能を有していればよい。リード端子の材料としては、熱伝導率の比較的大きな材料を用いることが好ましい。このような材料で形成することにより、半導体素子で発生する熱を効率的に逃すことができる。例えば、２００Ｗ／（ｍ・Ｋ）程度以上の熱伝導率を有しているものが好ましい。さらに、比較的大きい機械的強度を有するもの、あるいは打ち抜きプレス加工又はエッチング加工等が容易な材料が好ましい。具体的には、銅、アルミニウム、金、銀、タングステン、鉄、ニッケル等の金属又は鉄−ニッケル合金、りん青銅、鉄入り銅等が挙げられる。
【００２７】
リード端子は第１リードと第２リードを有し、第１リードは曲線を有するコーナー部を備える。第１リードのコーナー部は、角ばっているとダイボンド剤が滞留しやすく、ダイボンド剤が溢れてしまう場合があるが、曲線を有するコーナー部とすることで、ダイボンド剤を滞留させることなく円滑に流動させることができる。この曲線の部分は、第１溝部と第２溝部が離間した位置に配置され、第１溝部と第２溝部の間において半導体素子と対向する位置に配置されることが好ましい。コーナー部は、好ましくは、辺と辺を曲線で接続した形状とする。また、曲線部分は、図１に示すような、第１リード３の半導体素子載置領域に中心を有する円弧とすることが好ましく、この円弧によって辺と辺を接続したコーナー部３ａとすることが好ましい。
【００２８】
図１に示すように、第２リード４に、複数の導電性ワイヤ６を接続することができる。このとき、コーナー部３ａは、図１に示すように、第２リード４の複数のワイヤ接続領域間の領域に対向するように設けることが好ましく、第１ワイヤ接続領域と半導体素子領域との間に第１溝部７が設けられ、第２ワイヤ接続領域と半導体素子領域との間に第２溝部８が設けられる。これによって、第１リードに接着されるダイボンド剤が溝部を迂回して第２リードのワイヤ接続領域に到達するための経路を長くできるため、ダイボンド剤のワイヤ接続領域への流出を抑制できる。
【００２９】
また、第２リードは、半導体素子載置領域を有するリードとしてもよい。特に、第１リードと第２リードで異なるダイボンド剤を用いる場合には、異なるダイボンド剤が混合されると接着力が低下するなどの問題が生じる懸念があるため、曲線を有するコーナー部において離間した第１溝部と第２溝部を設けることで、ダイボンド剤の流出を抑制し、接着力の低下を抑制できる。また、第１リードと第２リードの離間距離、つまりパッケージ本体の露出部の幅は、例えば０．１〜０．５ｍｍ程度とすることができる。
【００３０】
（パッケージ本体）
パッケージを構成する樹脂の具体的な材料としては絶縁性部材が好ましい。また、半導体素子として半導体発光素子を用いる場合には、半導体発光素子からの光や、外光などが透過しにくい部材が好ましい。また、ある程度の強度を有するもので、熱硬化性樹脂、熱可塑性樹脂などを用いることができ、より具体的には、フェノール樹脂、ガラスエポキシ樹脂、ＢＴレジンや、ＰＰＡなどが挙げられる。
【００３１】
パッケージ本体は、半導体素子を載置可能な凹部を有することが好ましい。この凹部は側面と底面を有しており、底面にはリード端子が露出されており、露出されたリード端子に半導体素子載置領域とワイヤ接続領域とが設けられる。半導体素子載置領域とワイヤ接続領域の少なくとも一方を、パッケージ本体の凹部側面と溝部とで包囲することで、ダイボンド剤の流動を効率的に抑制することができる。
【００３２】
（封止部材）
図示しないが、半導体素子が載置されたリード端子上面は、封止部材によって封止されることが好ましい。封止部材は、パッケージに載置された半導体素子や導電性ワイヤを、塵芥、水分や外力などから保護する部材であり、半導体素子として半導体発光素子を用いる場合には、半導体発光素子からの光を透過可能な透光性を有するものが好ましい。具体的な材料としては、シリコーン樹脂、エポキシ樹脂やユリア樹脂を挙げることができる。このような材料に加え、所望に応じて着色剤、光拡散剤、フィラー、色変換部材（蛍光体）などを含有させることもできる。封止部材は、半導体素子を完全に被覆する量を用いることが好ましい。
【００３３】
（ダイボンド剤）
ダイボンド剤は、載置する半導体素子や基板の種類によって導電性ダイボンド剤又は縁性ダイボンド剤のいずれかを選択することができる。例えば、絶縁性基板であるサファイア上に窒化物半導体層を積層させた半導体素子の場合、ダイボンド部材は絶縁性でも導電性でも用いることができ、ＳｉＣ基板などの導電性基板を用いる場合は、導電性ダイボンド部材を用いることでリード端子と導通を図ることができる。絶縁性ダイボンド剤としては、エポキシ樹脂、シリコーン樹脂等を用いることができる。また、導電性ダイボンド剤としては、銀、金、パラジウムなどの導電性ペーストや、Ａｕ−Ｓｎ共晶などの半田、低融点金属等のろう材を用いることができる。さらに、これらダイボンド剤のうち、特に透光性のダイボンド剤を用いる場合は、その中に半導体発光素子からの光を吸収して異なる波長の光を発光する蛍光部材を含有させることもできる。
【００３４】
（導電性ワイヤ）
半導体発光素子の電極と、パッケージに設けられる導電部材とを接続する導電性ワイヤは、導電部材とのオーミック性、機械的接続性、電気伝導性及び熱伝導性が良いものが求められる。このような導電性ワイヤとして具体的には、金、銅、白金、アルミニウム等の金属及びそれらの合金を用いた導電性ワイヤが挙げられる。
【００３５】
（半導体素子）
半導体素子としては、発光ダイオード（ＬＥＤ）のような半導体発光素子や、保護素子等のダイボンド剤によってリード端子にダイボンドされる素子を用いることができる。図１には、正負一対の電極が片面に形成された半導体素子２ａ、２ｂを示したが、正負一対の電極が両面に形成された半導体素子を用いることもできる。両面電極構造の場合は、例えば、半導体素子の裏面側の電極が導電性ダイボンド剤にて一方のリード端子と接続され、上面側の電極が導電性ワイヤにて他方のリード端子と接続される。
【００３６】
半導体発光素子は、任意の波長のものを選択することができる。例えば、青色、緑色の発光素子としては、ＺｎＳｅや窒化物系半導体（ＩｎＸＡｌＹＧａ１−Ｘ−ＹＮ、０≦Ｘ、０≦Ｙ、Ｘ＋Ｙ≦１）を用いたものを用いることができる。また、赤色の発光素子としては、ＧａＡｓ、ＩｎＰなどを用いることができる。さらに、これ以外の材料からなる半導体発光素子を用いることもできる。用いる発光素子の組成や発光色、大きさや、個数などは目的に応じて適宜選択することができる。また、可視光領域の光だけでなく、紫外線や赤外線を出力する発光素子とすることができる。さらには、半導体発光素子とともに、受光素子などを搭載することができる。
【００３７】
［実施の形態２］
図４に、本発明の実施の形態２に係る半導体装置の正面模式図を示す。実施の形態２の半導体装置は、第１リード３のコーナー部３３ａの形状と半導体素子２ａ、２ｂの配置が異なること、及び、第３溝部を設けないこと以外は、実施の形態１の半導体装置と同様である。図１に示す実施の形態１の半導体装置では、コーナー部３ａを構成する辺と辺を接続する曲線部分を、第１リード３の半導体素子載置領域に中心を有する円弧としたが、図４に示す実施の形態２の半導体装置では、第１リード３の外側に中心を有する円弧としている。
【００３８】
コーナー部３３ａは、コーナー部３３ａを構成する辺と辺が曲線で接続されており、この曲線部分で第１溝部７と第２溝部８が離間しているので、半導体素子２ａ、２ｂをダイボンドするダイボンド剤を、第１溝部７と第２溝部８との間へ流動するよう促し、ダイボンド剤をコーナー部３３ａに沿って流動させ、ダイボンド剤の第２リード４への流出を抑制できる。また、実施の形態１の半導体装置と同様に、第１リードの半導体素子載置領域とワイヤ接続領域との間に、第３溝部を設けてもよい。
【産業上の利用可能性】
【００３９】
本発明に係る半導体装置は、各種表示装置、照明器具、ディスプレイ、液晶ディスプレイのバックライト光源、さらには、ファクシミリ、コピー機、スキャナ等における画像読取装置、プロジェクタ装置、などの発光装置に利用することができる。
【符号の説明】
【００４０】
１  パッケージ本体
２ａ、２ｂ  半導体素子
３  第１リード
３ａ、３３ａ  コーナー部
４  第２リード
５  露出部
６  導電性ワイヤ
７  第１溝部
８  第２溝部
９  第３溝部
２１  溝部
２２ａ、２２ｂ  基準平面よりも高い領域
【図１】
0005392059.tif 000002
【図２】
0005392059.tif 000003
【図３】
0005392059.tif 000004
【図４】
0005392059.tif 000005